(57)【特許請求の範囲】
【請求項１】
（ａ）固定床形態の、２０容量％を超える多孔度を有する多孔質体をＣＯ２の昇華温度より低い温度に冷却して冷多孔質体を得る工程、
（ｂ）ＣＯ２を含有するガス原料流及び１種以上の他のガス化合物を該冷多孔質体の表面と接触させて固体ＣＯ２を含有する多孔質体及びＣＯ２の枯渇した流出ガスを得る工程、及び
（ｃ）該固体ＣＯ２含有多孔質体をＣＯ２の昇華温度より高い温度を有する流体ＣＯ２流に曝して固体ＣＯ２を除去し、これにより流体ＣＯ２及び温多孔質体を得る工程、
を順次に含むガス原料流からのＣＯ２の分離方法。
【請求項２】
前記流体ＣＯ２流が工程（ｃ）で得られた流体ＣＯ２を含有する請求項１に記載の方法。
【請求項３】
前記ガス原料流が水を含有し、該水が前記ＣＯ２と一緒にガス原料流から除去される請求項１又は２に記載の方法。
【請求項４】
前記ＣＯ２及び水が多孔質体から別々に回収される請求項３に記載の方法。
【請求項５】
前記多孔質体が単一体であるか又は一体式粒子からなる請求項１〜４のいずれか１項に記載の方法。
【請求項６】
工程（ａ）において、前記多孔質体中に又はそれを通してＣＯ２の昇華温度より低い温度を有する冷ガス流を通すことにより、該多孔質体が冷却される請求項１〜５のいずれか１項に記載の方法。
【請求項７】
前記冷流体が工程（ｂ）で得られた冷却ＣＯ２の枯渇した流出ガス、又はＣＯ２の昇華温度より低い凝縮又は昇華温度を有する流体であり、該流体はＮ２、Ｈ２、Ｈｅ、Ｎｅ、Ａｒ、Ｋｒ、ＣＨ４、ＬＮＧ又はそれらの１種以上の混合物である請求項１〜６のいずれか１項に記載の方法。
【請求項８】
工程（ｂ）において、前記ガス原料流が１〜２バール（絶対圧）の圧力で前記冷多孔質体の表面と接触する請求項１〜７のいずれか１項に記載の方法。
【請求項９】
３つの多孔質体を３つの固定床の形態で用意し、これらの固定床を工程（ａ）、（ｂ）及び（ｃ）のサイクルの一つに通す工程を更に含む請求項１〜８のいずれか１項に記載の方法。
【請求項１０】
３つの多孔質体を３つの固定床の形態で用意し、これらの固定床を工程（ａ）、（ｂ）及び（ｃ）のサイクルの一つに同時に通す工程を更に含む請求項１〜８のいずれか１項に記載の方法。
【請求項１１】
表面を有する前記冷多孔質体の温度が−２００〜−１００℃の範囲である請求項１〜１０のいずれか１項に記載の方法。
【請求項１２】
表面を有する前記冷多孔質体の温度が−１７５〜−１２５℃の範囲である請求項１〜１０のいずれか１項に記載の方法。
【請求項１３】
表面を有する前記冷多孔質体の温度が−１５５〜−１４５℃の範囲である請求項１〜１０のいずれか１項に記載の方法。
【請求項１４】
前記ガス原料流が煙道ガス流か、又はＣＯ２及びＨ２及び／又はＣＯの混合物を含有する流れである請求項１〜１３のいずれか１項に記載の方法。
【請求項１５】
表面を有する前記多孔質体の比表面積が、１０００ｍ２／ｍ３以上の範囲である請求項１〜１４のいずれか１項に記載の方法。
【請求項１６】
表面を有する前記多孔質体の比表面積が、１０００〜１０００００ｍ２／ｍ３の範囲である請求項１〜１４のいずれか１項に記載の方法。
【請求項１７】
表面を有する前記多孔質体の比表面積が、２０００〜５００００ｍ２／ｍ３の範囲である請求項１〜１４のいずれか１項に記載の方法。
【請求項１８】
表面を有する前記多孔質体がセラミック又は金属を含む請求項１〜１７のいずれか１項に記載の方法。
【請求項１９】
表面を有する前記多孔質体がセラミックを含む請求項１〜１７のいずれか１項に記載の方法。
【請求項２０】
表面を有する前記多孔質体がアルミナ又はコージェライトを含む請求項１〜１７のいずれか１項に記載の方法。
【発明の詳細な説明】
【技術分野】
【０００１】
発明の分野
本発明はガス原料流からＣＯ２を分離する方法に関する。
【背景技術】
【０００２】
発明の背景
温室効果ガスの大気への放出について次第に大きくなる関心に答えて、工業的プロセス流からＣＯ２を捕獲することについて興味が高まっている。化石及びバイオマスをベースとするエネルギー変換方法は、エネルギーを放出しながら、炭化水素材料を二酸化炭素及び水に転化する。ＣＯ２の捕獲目的は、隔離（ｓｅｑｕｅｓｔｒａｔｉｏｎ）（例えば地質的貯蔵又は鉱物化）又は再利用に好適である比較的純粋なＣＯ２を製造することである。
【０００３】
空気よりもむしろ純酸素を使用するようなエネルギー変換方法でＣＯ２の捕獲には、種々の試みがなされてきた。このような方法では、ＣＯ２及び水だけを含有する煙道ガスが生成し、窒素による希釈を避けている。
或いは慣用の空気着火式燃焼法により得られる煙道ガスからＣＯ２を抽出するのに別の化学的又は物理的方法が使用されている。ＣＯ２を捕獲するための既知の方法は、例えばモノエタノールアミン（ＭＥＡ）又はジメチルホルムアミド、圧力震盪吸着（ＰＳＡ）又は膜分離で洗浄するものである。
他の方法は、約５．２バール（絶対圧）及び−５６．７℃というＣＯ２の三重点と、液体ＣＯ２はＣＯ２の三重点を超える特定の温度及び圧力でのみ存在し得るという事実を利用している。
【０００４】
米国特許第７，０７３，３４８号には熱交換器の内部で冷媒流体を蒸発させながら、煙道ガスを熱交換器の外表面と接触させて、煙道ガスから大気圧でＣＯ２を捕獲する方法が開示されている。熱交換器の外壁には固体ＣＯ２が堆積する。特定の操作時間後、熱交換器の外側部での煙道ガスの流れ及び熱交換器内部の冷媒流体の流れはそれぞれ第二の平行な熱交換器に切り換えられる。第一熱交換器の外表面に堆積した固体ＣＯ２は、５．２バールの圧力で−７８．５〜−５６．５℃に再加熱され、ＣＯ２は液体相として回収される。
【０００５】
熱交換器は高価な上、熱交換に利用できる領域は限定されるし、固体ＣＯ２の堆積がある。冷媒は蒸発器の表面に連続的に冷気（ｃｏｌｄ）を供給するので、ＣＯ２の殆どは蒸発器の上流側に堆積し、固体ＣＯ２の分布が不均一になる。また固体ＣＯ２層の形成により操作中、蒸発器全体に亘る圧力降下が著しく増大する。更に、堆積した固体ＣＯ２層の厚さが増大するのに従って、熱伝達抵抗が増大し、冷媒の使用効率を低下させる。
【０００６】
その結果、高価で比較的敏感な蒸発装置を短い堆積／除去サイクルで操作し、これにより蒸発装置を急速な温度変化に曝す必要がある。これは機械的観点から不利である。
【０００７】
米国特許第４，２６５，０８８号は、２つ以上の充填塔を用いて熱排気ガスを処理する方法を開示している。米国特許第４，２６５，０８８号の方法では、熱排気ガスはＣＯ２の昇華温度より低い温度に冷却された充填塔に導入される。ＣＯ２は昇華し、これにより排気ガスから捕獲される。次いで、充填塔を減圧して、固体ＣＯ２の蒸発を誘引することにより、昇華した固体ＣＯ２は充填塔から除去される。しかし、このような方法は低濃度のＣＯ２を含有する排気ガスの処理にしか使用できない。排気ガスが高濃度のＣＯ２を含有する場合、減圧を使用ことは非実用的となる。或いは米国特許第４，２６５，０８８号は、充填塔からの固体ＣＯ２の除去に処理済み排気ガスを使用することを開示している。しかし、この使用法は、処理済み排気ガスの少なくとも一部にＣＯ２を再導入するという欠点がある。その結果、このＣＯ２はＣＯ２隔離法に直接供給できず、しかも新たなＣＯ２汚染ガス流が形成される。
【発明の概要】
【発明が解決しようとする課題】
【０００８】
発明の概要
例えば煙道ガスからＣＯ２を前述のような欠点なしに分離可能であることが今回見出された。冷気の連続的な供給を利用する従来のＣＯ２分離技術とは対照的に、本発明は中間のエネルギー貯蔵体（ｒｅｐｏｓｉｔｏｒｙ）として多孔質体のような冷却された物体を用意し、これにより冷気を不連続的に供給することに基づいている。
【課題を解決するための手段】
【０００９】
したがって、本発明は、
ａ）固定床形態の多孔質体をＣＯ２の昇華温度より低い温度に冷却して冷多孔質体を得る工程、
ｂ）ＣＯ２を含有するガス原料流及び１種以上の他のガス化合物を該冷多孔質体の表面と接触させて固体ＣＯ２を含有する多孔質体及びＣＯ２の枯渇した（ｄｅｐｌｅｔｅｄ）流出ガスを得る工程、及び
ｃ）該固体ＣＯ２含有多孔質体をＣＯ２の昇華温度より高い温度を有する流体ＣＯ２流に曝して固体ＣＯ２を除去し、これにより流体ＣＯ２及び温多孔質体を得る工程、
を含むガス原料流からのＣＯ２の分離方法を提供する。
【発明の効果】
【００１０】
本発明方法はＣＯ２を堆積させる表面を有する予め冷却した多孔質体を利用する。このような多孔質体は限定された量の冷気しか貯蔵できないので、堆積可能なＣＯ２の量も制限される。その結果、ＣＯ２の堆積が大きくできず、分離器全体に亘る圧力降下の生成は大幅に回避される。
多孔質体を使用したので、単位体積当たりの高い比表面積を熱交換及びＣＯ２の堆積に利用できる可能性がある。これにより足型（ｆｏｏｔｐｒｉｎｔ）及び装置の大きさを縮小できる。
【００１１】
多孔質体から固体ＣＯ２を除去するため、工程（ｃ）から得られる流体ＣＯ２流出流のような流体ＣＯ２を使用したので、ＣＯ２隔離法に直接使用できる流体ＣＯ２の純粋流が得られる。
本方法は、従来法で使用される高価な蒸発器に比べて資本コストが制限された比較的簡単なプロセス装置を使用して操作できる。
【図面の簡単な説明】
【００１２】
【図１】３つの独立した固定床を用いた本発明方法の概略図である。
【図２】冷却多孔質体内の温度分布及び塊状（ｍａｓｓ）堆積分布の概略図である。
【図３】冷却多孔質体内の温度分布及び塊状堆積分布の他の概略図である。
【発明を実施するための形態】
【００１３】
発明の詳細な説明
本発明はＣＯ２及び１種以上の他のガス化合物を含有するガス原料流からＣＯ２を分離するため、予め冷却した多孔質体を使用する方法（ｕｓｅ）に関する。多孔質体はまず冷却し、次いで前記ＣＯ２含有ガス原料流と接触させる。得られた冷多孔質体はエネルギーの中間貯蔵体として使用してよい。即ち、冷多孔質体は有限量のエネルギーを貯蔵するのに使用でき、その後、ＣＯ２を昇華するのに使用される。これに対し、既知の熱交換器は、ほぼ瞬間的に熱を伝達する、即ち、エネルギーの中間貯蔵は起こらない。
【００１４】
熱伝達は、少なくとも一部が熱伝達に利用可能な表面積に依存することは理解されよう。通常、プレート型熱交換器は約５００ｍ２／ｍ３の比表面積を有する。一体式（ｍｏｎｏｌｉｔｈｉｃ）充填物は、３５００ｍ２／ｍ３ほど、又はそれ以上にも高くできる、非常に高い比表面積を有する。本発明方法では、ガス原料流をＣＯ２の三重点より低い圧力、好ましくは１〜２バール（絶対圧）の範囲の圧力で冷多孔質体と接触させる際、ガス原料流中のＣＯ２は昇華し、冷多孔質体の表面に固体ＣＯ２として堆積する。ここで昇華とは、液相の存在なしでの、気体から固体への相転移又は固体から気体への層転移をいう。純ＣＯ２は常圧で約−７８℃の昇華温度を有し、希釈すると、昇華温度は低下することに注目すべきである。通常、ＣＯ２を２０容量％含有する煙道ガスは常圧で約−９３℃の昇華温度を有する。
【００１５】
ガス原料流を、ＣＯ２の三重点圧力５．２バール（絶対圧）を超える圧力で冷多孔質体と接触させ、これによりＣＯ２を液体として堆積させることは可能である。しかし、ガス原料流は、好ましくは１〜５バール（絶対圧）、更に好ましくは１〜２バール（絶対圧）の範囲の圧力で冷多孔質体と接触させる。これは再生段階中、毛管力が存在しないため、固体ＣＯ２の除去が複雑化しにくいからである。
次に、固体ＣＯ２を表面から除去し、この表面をＣＯ２の昇華温度より高い温度に曝すと、流体ＣＯ２流出流が得られる。
【００１６】
多孔質体は固定床の形態が好ましい。多孔質体は、好ましくは単一体、例えばセラミック発泡体である。同じく好ましい実施態様では、多孔質体は粒子、好ましくは一体式粒子からなる。任意に、これらの粒子は互いに焼結される。多孔質体は高い比表面積を有してよい。高い比表面積は、熱交換用及びＣＯ２の堆積に利用可能な面積用に有益である。単一体を使用する利点としては、圧力降下が低いこと、及び塊前端（ｆｒｏｎｔ）、特に多孔質体を通る熱前端の軸方向分散が少ないことが挙げられる。
【００１７】
本方法はガス原料流からＣＯ２を連続的に分離することができる。冷多孔質体を動的に操作する固定床の形態で使用すれば、多孔質体は中間のエネルギー貯蔵体として使用される。したがって、本方法は３つの多孔質体を３つの固定床の形態で用意した（ｐｒｏｖｉｄｅ）ので、連続的な方法で操作できる。これらの固定床は工程（ａ）、（ｂ）及び（ｃ）のサイクルに同時に通され／経由（ｔｈｒｏｕｇｈ）する。これらの固定床は相外で（ｏｕｔ  ｏｆ  ｐｈａｓｅ）操作される、即ち、それぞれ同時に、一固定床は工程（ａ）（冷却）の操作中であり、一固定床は工程（ｂ）（ＣＯ２捕獲）の操作中であり、また一固定床は工程（ｃ）（ＣＯ２除去）の操作中である。工程（ｂ）を操作中の固定床が一杯になれば、この固定床は工程（ｃ）に切り換えられ、これに従って他の固定床は切り換えられる。
【００１８】
固定床は、いかなる種類の固定床であってもよい。固定床は独立した構成要素（ｅｎｔｉｔｙ）、直列又は並列で操作される複数の固定床の形態であってもよいし、或いは大型固定床配列の一部、帯域又は区画で形成されてもよい。
【００１９】
多孔質体は工程（ａ）においてＣＯ２の昇華温度より低い温度を有する冷流体流を多孔質体に通して、冷却してよい。冷流体流は冷ガス流が好ましい。冷流体は、例えば工程（ｂ）において多孔質体から得られるＣＯ２の枯渇した流出流であってよい。この流出流は多孔質体を通過中、冷却されたものである。ＣＯ２の枯渇した流出流は、工程（ａ）で多孔質体の冷却に使用する前に、任意に冷却される。ＣＯ２の枯渇した流出流は、ＣＯ２の昇華温度より低い温度に冷却することが好ましい。或いはこの冷流体は、ＣＯ２の昇華温度より低い凝縮温度又は昇華温度を有する流体である。このような流体の好ましい例は、Ｎ２、Ｈ２、Ｈｅ、Ｎｅ、Ａｒ、Ｋｒ、ＣＨ４又はそれらの１種以上を含む混合物である。冷流体の選択は、例えばこのような流体の入手可能性により影響を受けるかも知れない。液体窒素は容易に大量に得られる。冷ＣＨ４は、例えばＬＮＧの再ガス化地域で、通常、液体天然ガス（ＬＮＧ）の形態で豊富に入手できる。したがって、ＬＮＧも冷流体として使用できる。また冷流体のコストも影響するかも知れない。したがって、冷流体は窒素又は工程（ｂ）において多孔質体から得られるＣＯ２の枯渇した流出流を用いるのが好ましい。
【００２０】
冷流体は多孔質体を冷却できるのに充分な量供給する必要があることは理解されよう。更に、冷流体の温度はＣＯ２の昇華温度未満でなければならない。しかし、少量の冷流体を用いて触媒床を予備冷却し、次いで、ＣＯ２の昇華温度より低い温度を有する流体で冷却する段階で多孔質体を冷却することは可能である。多孔質体を充分冷却するには、冷流体の温度は、好ましくは−２００〜−１００℃、更に好ましくは−２００〜−１２５℃、更に好ましくは−２００〜−１４５℃の範囲であってよい。
【００２１】
固定床を使用すると、本発明方法の工程（ｂ）中、固定床に固体ＣＯ２が堆積する。しかし、堆積により圧力降下が著しく増大したり、更には固定床が閉塞するようなことはない。これは、固定床中のどこかで貯蔵される、コールド・デューティ（ｃｏｌｄ  ｄｕｔｙ）とも言われる、限定量のエネルギーによるものである。初期温度が−１５０℃でのＣＯ２の昇華では、ＣＯ２塊の最大堆積量は、固体材料の容積熱容量に従って、多孔質体１ｍ３当たり５０ｋｇ未満である。固体ＣＯ２を含有する多孔質体の密度が、堆積したＣＯ２層の多孔度に従って、約１０００〜１５００ｋｇ／ｍ３であると仮定すると、これは３〜５容量％に相当する。このような容量は、多孔度が容易に２０容量％を超え更には３０容量％も超えることができる組立式（ｓｔｒｕｃｔｕｒｅｄ）又は非組立式充填物中に容易に貯蔵できる。こうして、捕獲サイクル中の閉塞又は許容できない圧力降下の増大を伴う問題は本質的に防止できる。これは本発明方法の大きな利点の１つである。
【００２２】
多孔質体に堆積した固体ＣＯ２は、本方法の工程（ｃ）において、ＣＯ２の昇華温度よりも高い温度を有する温流体ＣＯ２流を固体ＣＯ２を含有する固定床に通せば、除去される。温流体ＣＯ２流は、温ＣＯ２ガス流が好ましい。この温流体ＣＯ２流は、有利には５０〜ほぼ１００容量％、更に好ましくは９０〜ほぼ１００容量％、９９〜ほぼ１００容量％の範囲のような高濃度のＣＯ２を含有する。温ＣＯ２ガス流は、例えば工程（ｃ）で得られた流体ＣＯ２、即ち、流体ＣＯ２流出流の少なくとも一部を多孔質体に再循環すれば、用意できる。このようなＣＯ２濃度の高い温流体を使用する利点は、工程（ｃ）の流出流が例えばＣＯ２鉱物質の隔離又は別途に精製を必要としない強化石油回収（ｅｎｈａｎｃｅｄ  ｏｉｌ  ｒｅｃｏｖｅｒｙ）法に使用できる。温流体はＣＯ２の昇華温度又は溶融温度のいずれの温度であってもよい。工程（ｃ）中、固定床の圧力がＣＯ２の三重点圧力、即ち、約５．２バール（絶対圧）よりも高いと、堆積したＣＯ２が溶融するかも知れない。液体ＣＯ２はＣＯ２の三重点よりも高い特定の温度でのみ存在し得る。温流体の温度は−７０〜５０℃、好ましくは−７０〜−２０℃の範囲が好ましい。
【００２３】
本発明方法はＣＯ２及び１種以上の他のガス化合物を含むいかなるガス原料流からもＣＯ２を除去するために使用できる。ガス原料流はＣＯ２を３容量％以上、好ましくは５〜７５容量％、更に好ましくは１０〜３５容量％の範囲含有することが好ましい。昇華によるＣＯ２分離の有効性を最大化するために、１種以上の他のガス化合物は冷多孔質体の温度より低い凝縮又は昇華温度を有することが好ましい。他のガス化合物の好適な例としては、Ｎ２、Ｏ２、Ｈ２、ＣＨ４が挙げられる。冷表面含有体の温度よりも高い凝縮又は昇華温度を有する少量の炭化水素化合物、或いはまた冷表面含有体の温度よりも高い凝縮又は昇華温度を有する例えばＮＯｘ、Ｈ２Ｓ又はＳＯ２のような化合物は、少量ならば許容し得る。
【００２４】
好適な原料流としては、例えば化石及びバイオマスをベースとするエネルギー変換法からの煙道ガスが挙げられる。ＣＯ２とＨ２及び／又はＣＯとの混合物を含むガス原料流も好適である。このような原料流は、例えば合成ガス（主としてＨ２とＣＯとの混合物）中に存在するＣＯが水によりＣＯ２及びＨ２に転化する水−ガス−シフト反応帯域の流出流として得られる。
煙道ガス又は水−ガス−シフト反応帯域の流出流は、通常、水又は水蒸気を含有してよい。
【００２５】
このような流体原料流を処理するときは、まずガス原料流を、存在する水又は水蒸気全体に対し、８０重量％〜ほぼ１００％の範囲に除去されるように、脱水するのが有益である。更に好ましくは水蒸気の９０〜９９．９重量％、なお更に好ましくは９５〜９９．９重量％が除去される。しかし、水を除去するためにガス原料流を予備処理する必要はない。ガス原料流中に水が存在する場合、本発明方法ではガス原料流から水をＣＯ２と一緒に除去、即ち分離することが可能である。したがって、本発明方法は、本発明方法で処理する前に、ガス原料流から水を少量除去するだけでよいか、或いは全く除去しなくてよいという利点を有する。得られた流体ＣＯ２流出流から水を除去するために、引続く水及びＣＯ２の分離を行ってよい。しかし、ＣＯ２の捕獲に本発明方法を使用すれば、多孔質体の内部でＣＯ２と水との有利な分離が起こる。この分離は、ＣＯ２の昇華温度と水の凝縮兼凍結温度との差に基づいている。実施例で更に詳細に説明するように、水は他の領域、通常はＣＯ２よりも、ガス原料流が冷多孔質体に入った所に近い領域に堆積する。その結果、水及びＣＯ２は多孔質体から別々に回収できる。更に、工程（ａ）において多孔質体内に初期温度分布を作れば、多孔質体／固定床内の水及びＣＯ２の分離は、なお更に増進できる。このような温度分布は、例えば多孔質体の第一の部分を、水の凝縮温度より低いがＣＯ２の昇華温度よりも高い温度に冷却する工程を含んでよい。次に、多孔質体の第二の部分をＣＯ２の昇華温度よりも低い温度に冷却してよい。固体ＣＯ２及び液体／固体水を含む多孔質体が温流体ＣＯ２流と接触すると、昇華温度が低いため、ＣＯ２は水より前に回収される。固体ＣＯ２及び液体／固体水を含む多孔質体は、固体ＣＯ２の昇華温度よりも高いが、水を固体に留めるのに充分低い温度、好ましくは−７５〜−１℃の範囲の温度、更に好ましくは−７０〜−１０℃の範囲の温度を有する流体ＣＯ２流と接触させるのは有利である。次いで、液体／固体水は、該液体／固体水を溶融及び／又は蒸発或いは昇華させるのに（即ち、固体から蒸気に）充分高い温度、好ましくは０〜５００℃の範囲の温度を有する流体流で除去してよい。水の回収に好適な流体としては、ＣＯ２、Ｎ２、Ｈ２、Ｈｅ、Ｎｅ、Ａｒ、Ｋｒ、ＣＨ４、又は空気等を含むガス流が挙げられる。好ましくは、窒素は窒素の混合物として使用され、また水は大気中に安全に処分できるし、或いは所望ならば、容易に分離できる。また工程（ａ）において多孔質体の冷却に窒素を使用すれば、窒素は特に好ましい。なぜならば、工程（ａ）で使用した窒素は、次に多孔質体から水を回収するのに使用でき、この多孔質体は引続き工程（ａ）において冷却される用意ができているからである。水回収用の他の好適なガスは、清浄化された煙道ガス、例えば容易に得られる点で、工程（ｂ）で得られるＣＯ２の枯渇した流出流である。ＣＯ２を分離すべき原料流は、冷多孔質体と接触する際、ＣＯ２の昇華温度よりいかなる高い温度を有してもよい。ＣＯ２の捕獲に多孔質体を使用する本発明方法の実施態様では、多孔質体と接触する際のガス原料流の温度は、好ましくは周囲温度〜５００℃、更に好ましくは１００〜５００℃、なお更に好ましくは２００〜３５０℃の範囲である。高温の原料を使用すると、固体ＣＯ２の堆積を多孔質体内部のガス原料流の方向に移動させる可能性がある。更に、多孔質体は固体ＣＯ２の除去の準備中に加熱される。これについては以下に更に詳細に検討する。
【００２６】
昇華したＣＯ２はガス又は液体として回収できる。工程（ｃ）の圧力がＣＯ２の三重点圧力、即ち、約５．２バール（絶対圧）を超えると、このＣＯ２は溶融し、液体として回収できる。ＣＯ２を液体として回収する有利な点は、ＣＯ２ガスを、更に処理するのに必要な圧力に加圧する際の大幅なコスト低下である。液体ＣＯ２を得るための工程（ｃ）での圧力は、好ましくは５．２〜５０．０バール（絶対圧）、更に好ましくは５．２〜１０バール（絶対圧）の範囲である。
【００２７】
多孔質体は一定量の冷気を貯蔵できるいかなる材料からも製造できる。このような多孔質体は、貯蔵可能なエネルギー（冷気）量を最大にするため、容積熱容量の高い材料で作ることが好ましい。特に好ましくは、容積熱容量が１＊１０６Ｊ／ｍ３Ｋ以上、更に好ましくは１＊１０６〜５＊１０６Ｊ／ｍ３Ｋの範囲の材料である。このような材料は比較的低コストで多量に入手できると有利である。好適な材料の例としては、アルミニウム、アルミナ及びコージェライトが挙げられる。
【００２８】
熱伝達及び固体ＣＯ２の堆積を最適化するため、多孔質体は高い比表面積を有することが好ましい。多孔質体の比表面積は、１０００ｍ２／ｍ３以上、好ましくは１０００〜１０００００ｍ２／ｍ３、更に好ましくは２０００〜５００００ｍ２／ｍ３の範囲であることが好ましい。
【００２９】
冷多孔質体はＣＯ２の昇華温度よりも低いいかなる温度を有してもよい。ＣＯ２を昇華させるのに充分なエネルギーを効率的に付与するために、冷多孔質体の温度は−２００〜−１００℃、好ましくは−１７５〜−１２５℃、更に好ましくは−１５５〜−１４５℃の範囲であることが好ましい。
【００３０】
ガス原料流からＣＯ２を分離する好適な装置は、固体充填物の固定床を有する容器を備え、該容器は更に、
ＣＯ２の昇華温度よりも低い温度を有する流体を受取るために配置した流体用第一入口、
ＣＯ２の昇華温度よりも高い温度を有する流体を受取るために配置した流体用第二入口、
ＣＯ２の昇華温度よりも低い温度を有する流体を移送するために配置した流体用第一出口、
ＣＯ２の昇華温度よりも高い温度を有する流体を移送するために配置した流体用第二出口、
を備える。
【００３１】
固定床の保持に極冷気絶縁材料付きステンレス鋼円筒容器を使用することが好ましい。このような容器は、−１５０〜３００℃の範囲の操作温度に耐えられるように設計する必要があることは理解されよう。このために例えば特定の溶接技術を使用する必要があり、また構築材料の選択を制約するかも知れない。
【００３２】
ＣＯ２の昇華温度よりも低い温度を有する流体を受取るか又は移送するために配置した流体用入口及び出口は、−１５０℃〜周囲温度の範囲の温度に耐えられなければならない。一方、ＣＯ２の昇華温度よりも高い温度を有する流体を受取るか移送するために配置した流体用入口及び出口は、−８０〜３００℃の範囲の温度に耐えられなければならない。これらの入口及び出口はエネルギー損失を防止するため、絶縁することが好ましい。任意に、第一及び第二入口は同じ入口であってよい。同じく、第一及び第二出口は同じ出口であってよい。しかし、このためには入口は−１５０〜３００℃の範囲の温度に耐えられなければならない。
【００３３】
本発明の装置は、好ましくは前記の本発明方法の工程（ａ）、（ｂ）及び（c）のサイクルを、各容器において同時に、かつ各容器の相外で通すために配置した前記定義した３つの容器を備える。或いはこの容器は、本発明方法の工程（ａ）、（ｂ）及び（c）に従って、各々同時であるが相外で操作される３つの固定床を含む。これら３つの固定床は、容器内の更に大型の固定床配列の３つの、部分、区画又は帯域であってもよいことは理解されよう。
【００３４】
本発明方法及び装置は、特に液体天然ガス（ＬＮＧ）ターミナルにおいて再ガス化ユニットと一体化して使用される。再ガス化中、生成した冷気は、本発明方法の工程（ａ）において冷ＣＨ４ガスの形態で、或いは現場で例えば熱交換により生成した他の好適な冷媒体の形態で有利に使用できる。本発明方法及び装置は、特にＬＮＧターミナルでの再ガス化ユニットと組合わせ、更に水素製造ユニット（ＨＭＵ）と組合わせて使用され、これにより水素はＣＨ４から製造され、またＨＭＵの煙道ガス中のＣＯ２は、本発明方法及び装置を用いて分離される。
【００３５】
得られた流体ＣＯ２は、更に別の方法に好適に使用できる。例えばこのＣＯ２は、鉱物炭酸化法により隔離できる。このような方法ではＣＯ２は珪酸マグネシウム又は珪酸カルシウム、例えばカンラン石、活性蛇紋石又は鋼スラグの水性スラリーと反応する。或いはこのＣＯ２は、例えば強化石油回収法で貯蔵又は使用できる。
【００３６】
図面の詳細な説明
図１は３つの独立した固定床を用いた本発明方法の概略図を示す。同方法は一連の工程（ａ）〜（ｃ）を通過する単一固定床を用いて不連続的に操作できることは理解されよう。
【００３７】
固体充填物１１１、１１２、１１３を充填した３つの固定床１０１、１０２、１０３は、並列で操作され、各固定床に対し順次３つのサイクル、即ち、捕獲サイクル（本発明方法の工程（ｂ））、回収サイクル（（本発明方法の工程（c））及び冷却サイクル（本発明方法の工程（ａ））を行う。熱煙道ガス１２０が入口１２２経由で固定床１０１に送られる。固定床１０１は前の冷却サイクルで約−１５０℃に冷凍されたものである。この捕獲サイクル中、煙道ガスに存在するＣＯ２（及び存在すれば水）は、固体床材料１１１上に堆積し、床材料中に貯蔵された“冷気”を消費する。ＣＯ２の枯渇した流出流１２４は固定床１０１の出口１２６で除去される。温度前端が捕獲サイクル中、固定床を移動し、比較的高い入口温度が固定床の入口でエネルギー（熱）を貯蔵するのに使用される。このエネルギーは次の回収サイクルにおいてＣＯ２の除去に使用される。捕獲サイクルは、ＣＯ２が固定床１０１を破過（ｂｒｅａｋ  ｔｈｒｏｕｇｈ）し始め、次の回収サイクルを操作するため固定床１０１が切り換えられるまで続けられる。
【００３８】
前の捕獲サイクルにおいて固体ＣＯ２を堆積した固定床１０２では、同時に回収サイクルにおいて固体充填物１１２からＣＯ２が除去される。回収サイクル中、純ＣＯ２ガス流１３０は、入口１３２経由で固定床１０２に導入され、固体充填物１１２を通過する。出口１３４からは、固体充填物１１２から除去されたＣＯ２を含有する流体ＣＯ２１３６が得られる。流体ＣＯ２の一部は再循環ライン１３７及び圧縮機１３８経由で再循環してよい。前の捕獲サイクル中、固定床１０２の入口で作られた熱温度帯域は固定床を通過し、昇華したＣＯ２（凝縮し霜となったＨ２Ｏと一緒に）が除去されたことを確かめる。昇華ＣＯ２が固体充填物１１２から除去された後、固定床は次の冷却サイクルにおいて冷却される。
【００３９】
前の回収サイクルでＣＯ２を放出した固定床１０３でも同時に冷Ｎ２流１４０を入口１４２経由で固定床１１３に通せば、冷却サイクルにおいて固体充填物１１３は冷却される。出口１４６、再循環ライン１４８及び圧縮機１４９経由で固定床１１３を出るＮ２流１４４の一部を再循環すれば、Ｎ２流１４０は更に冷却される。Ｎ２再循環流１５２は別の慣用の極冷気熱交換器１５６で冷媒１５４により冷却される。
【実施例】
【００４０】
本発明を以下の非限定的実施例により説明する。
動的に操作される固定床による新規な極冷気ＣＯ２分離法の基本的原理を図２及び図３で説明する。この分離法を、露点と昇華温度との差に基づいてＣＯ２、Ｈ２Ｏと永久ガスとの効果的な分離が行われる数値モデルを用いて説明する。図２において、符号３０１で示すラインは、左のｙ軸に目盛った煙道ガスの温度（Ｔ）を示す。ライン３０３及び３０５は、それぞれ、縦のｘ軸と平行する充填床中のＨ２Ｏ、ＣＯ２の塊状堆積（Ｍｄｅｐ）を示す。塊状堆積は右のｙ軸に目盛った。ライン３０３及び３０５の下の領域３０４及び３０６は、それぞれ、堆積塊全体の大きさ（ｍｅａｓｕｒｅ）である。
【００４１】
ＣＯ２、Ｈ２Ｏ及び不活性ガスＮ２（それぞれ２０．９容量％、１．２容量％、７７．９容量％）を含有する３００℃の煙道ガスを、軸位置（ｘ軸、ｘ）０において始め均一に冷却した、コージェライト粒子の充填床に供給し、充填床を左から右に（軸位置の値を増大させる）に移動する。充填床の初期温度は−１５０℃であった。図２における温度分布及び塊状堆積の分布を、本発明方法による多孔質体の実施態様の工程（ｂ）中、任意に選択した時間に対して示す。図３から判るように、３つの温度前端３１１、３１２及び３１３は進展し、充填床を（矢印の長さで示すように）異なる前端速度で通過する。温度前端３１１は、ガス混合物がその（第一の）露点、この場合は約３６℃よりも直ぐ高い温度まで冷却される場所に相当する。実際に温度前端３１１では、固体充填物は煙道ガスにより加熱され、既に凝縮したＨ２Ｏは蒸発する。温度前端３１２では煙道ガス中に存在する水は全て凝縮する（領域３０４）。温度前端３１１でのＨ２Ｏの蒸発のため、局部のＨ２Ｏ分圧は入口の煙道ガスのＨ２Ｏ分圧よりも高く（また原料温度及び初期温度による）、したがって、局部ガス混合物の露点及び最初の平坦域温度は僅かに高い。
【００４２】
温度前端３１２では、Ｈ２Ｏは全て煙道ガスから凝縮し、この脱水煙道ガスは更にその第二の露点（約−９３℃）よりも直ぐ高い温度まで冷却され、同時に充填床をＣＯ２の昇華温度よりも直ぐ高い温度まで加熱する。また温度前端３１２では、前に堆積したＣＯ２は昇華して、再び温度前端３１３で固体充填物上に堆積する（領域３０６）。温度前端３１３では煙道ガスは充填床の初期温度、即ち、−１５０℃まで冷却される。
【００４３】
温度前端３１３の前端速度は温度前端３１２の前端速度よりも早く、また温度前端３１２の前端速度は温度前端３１１の前端速度よりも早く、前端速度は捕獲サイクル中、充填床中の固体充填物上に凝縮したＨ２Ｏ及び堆積したＣＯ２の成長量に相当する。凝縮Ｈ２Ｏ量及び固体充填物の単位容量当たりの昇華ＣＯ２量は最大値に達し、この最大値は固体充填物中に貯蔵された冷気の最大量（即ち、露点と初期温度との差）に相当することは注目される。初期温度が−１５０℃でのＣＯ２の昇華では、固体充填物の容積熱容量に従って、ＣＯ２の最大塊状堆積は、通常、５０ｋｇ／ｍ３未満である。前述のように、このような固体ＣＯ２量は組立式又は非組立式充填物中に容易に貯蔵できる。こうして、捕獲サイクル中の閉塞又は許容できない圧力降下の増大を伴う問題は本質的に防止できる。
【００４４】
本発明方法による多孔質体／固定床の実施態様の他の重要な利点は、出口ガス温度が捕獲サイクル全体の殆どに亘って正に最小の冷媒温度であるため、このサイクル全体の殆どに亘って最大限可能なＣＯ２の捕獲が実際に達成されることである。
【００４５】
図３に、本発明方法による多孔質体の実施態様の工程（ａ）中、固定床中に初期温度分布を導入する実施態様を示す。工程（ａ）において多孔質体内部にこのような初期温度分布を作ると、多孔質体／固定床内でのＣＯ２と水との分離がなお更に増進できる。このような温度分布は、例えば多孔質体の第一の部分を、水の凝縮温度より低いがＣＯ２の昇華温度よりも高い温度に冷却する工程を含んでよい。次に、多孔質体の第二の部分をＣＯ２の昇華温度よりも低い温度に冷却してよい。図３では初期温度分布を有効利用すると、ＣＯ２とＨ２Ｏとの分離が増進することを示している。図３では符号４０５で示すラインは、左のｙ軸に目盛った煙道ガスの温度（Ｔ）を示している。ライン４０７及び４０９は、それぞれ、縦のｘ軸と平行する充填床中のＨ２Ｏ、ＣＯ２の塊状堆積（Ｍｄｅｐ）を示す。塊状堆積は右のｙ軸に目盛った。ライン４０７及び４０９の下の領域４０８及び４１０は、それぞれ、堆積塊全体の尺度である。
【００４６】
ＣＯ２、Ｈ２Ｏ及び不活性ガスＮ２（それぞれ２０．９容量％、１．２容量％、７７．９容量％）を含有する３００℃の煙道ガスを、軸位置（ｘ軸、ｘ）０において始め均一に冷却した、コージェライト粒子の充填床に供給し、充填床を左から右に（軸位置の値を増大させる）に移動する。充填床の最初の温度は−１５０℃であった。充填床を２つの帯域、即ち、軸位置０〜３ｍ（帯域４０１）及び、軸位置３〜１０ｍ（帯域４０２）に分割する。帯域４０１は−７０℃、即ち、ＣＯ２の昇華温度よりも高いがＨ２Ｏの凝縮点よりも低い温度に冷却される。帯域４０２は−１５０℃、即ち、ＣＯ２の昇華点よりも低い温度に冷却される。図３では温度分布及び塊状堆積の分布を、本発明方法による多孔質体の実施態様の工程（ｂ）中、任意に選択した時間に対して示す。図３から判るように、４つの温度前端４１１、４１２、４１３及び４１４は進展し、充填床を（矢印の長さで示すように）それぞれ異なる前端速度で通過する。図３から判るように、Ｈ２ＯとＣＯ２との明確な分離が得られる。凝縮Ｈ２Ｏが見られる場所（領域４０８）は、ＣＯ２の堆積した領域（領域４１０）から効果的に分離される。実際に初期温度帯域４０１及び４０２の長さは、煙道ガス原料の組成、煙道ガスの処理量、及びサイクル時間と同調させなければならない。しかし、初期温度分布により、僅かに大きい床容積の費用でほぼ完全な分離が可能である。
【符号の説明】
【００４７】
１０１      固定床
１０２      固定床
１０３      固定床
１１１      固体充填物
１１２      固体充填物
１１３      固体充填物
１２０      熱煙道ガス又はＣＯ２を含有するガス原料流
１２２      入口
１２６      出口
１３０      純ＣＯ２ガス流
１３２      入口
１３４      出口
１３６      流体ＣＯ２
１３７      再循環ライン
１４０      冷Ｎ２流
１４２      入口
１４４      Ｎ２流
１４６      出口
１４８      再循環ライン
１５２      Ｎ２再循環
１５４      冷媒
１５６      極冷気熱交換器
３０３      縦のｘ軸と平行する充填床中のＨ２Ｏの塊状堆積
３０４      領域又は堆積塊全体の大きさ
３０５      縦のｘ軸と平行する充填床中のＣＯ２の塊状堆積
３０６      領域又は堆積塊全体の大きさ
３１１      温度前端
３１２      温度前端
３１３      温度前端
４０１      軸位置０〜３ｍの帯域又は初期温度帯域
４０２      軸位置３〜１０ｍの帯域又は初期温度帯域
４０５      左のｙ軸に目盛った煙道ガスの温度
４０７      縦のｘ軸と平行する充填床中のＨ２Ｏの塊状堆積
４０８      堆積塊全体の大きさ又は凝縮Ｈ２Ｏが見られる場所
４０９      縦のｘ軸と平行する充填床中のＣＯ２の塊状堆積
４１０      堆積塊全体の大きさ又はＣＯ２の堆積した領域
４１１      温度前端
４１２      温度前端
４１３      温度前端
４１４      温度前端
Ｍｄｅｐ      塊状堆積
Ｔ          煙道ガスの温度
【先行技術文献】
【特許文献】
【００４８】
【特許文献１】米国特許第７，０７３，３４８号
【図１】
0005597135.tif 000002
【図２】
0005597135.tif 000003
【図３】
0005597135.tif 000004